(57)【要約】【課題】天井内に設備レイアウトの自由度を確保しつつ、低コストで耐震補強できる耐震補強部材を提供すること。【解決手段】耐震補強部材１は、天井裏空間で略水平に延びる野縁受け１２と、この野縁受け１２に支持されて野縁受け１２に略直交しかつ略水平に延びる野縁１３と、この野縁１３に支持される板状の天井仕上材１４と、を備える天井１０を耐震補強する。耐震補強部材１は、天井裏の鉄骨梁２０の下面に取り付けられた板状の下側プレート３１と、この下側プレート３１に略垂直に設けられて水平方向に延びるとともに側面で野縁１３を支持する板状の第１支持部４０と、下側プレート３１に略垂直に設けられて水平方向でかつ第１支持部４０に略直交する方向に延びるとともに側面で野縁受け１２を支持する板状の第２支持部５０と、を備える。【選択図】図１
2014173395.tif 000002
【特許請求の範囲】
【請求項１】
野縁受けと、当該野縁受けに支持されて前記野縁受けに略直交する野縁と、当該野縁に支持される板状の天井仕上材と、を備える天井の耐震補強部材であって、
梁の下面に取り付けられた略板状の基部と、
当該基部に略垂直に設けられて、水平方向に延びるとともに前記天井の一部を支持する板状の第１支持部と、
前記基部に略垂直に設けられて、水平方向でかつ前記第１支持部とは異なる方向に延びるとともに前記天井の一部を支持する板状の第２支持部と、を備えることを特徴とする耐震補強部材。
【請求項２】
前記第１支持部は、側面で前記野縁を支持し、
前記第２支持部は、前記野縁受けを支持することを特徴とする請求項１に記載の耐震補強部材。
【請求項３】
前記第１支持部と前記第２支持部とは、互いに当接していることを特徴とする請求項１または２に記載の耐震補強部材。
【発明の詳細な説明】
【技術分野】
【０００１】
本発明は、天井を耐震補強する耐震補強部材に関する。
【背景技術】
【０００２】
従来より、地震時の建物の挙動により、天井下地や天井仕上材に大きな慣性力が作用し、これら天井下地や天井仕上材が破損したり落下したりするおそれがある。そこで、例えば、天井裏空間に耐震補強部材としてブレースを設けることが提案されている。（特許文献１参照）。
このブレースは、例えば、水平面に対して傾斜して直線状に延びる軽量鉄骨の部材であり、このブレースの上端は、天井裏の吊りボルトに係止され、下端は、天井下地である野縁受けあるいは野縁に係止される。
【先行技術文献】
【特許文献】
【０００３】
【特許文献１】特開２００９−３５９６０号公報
【発明の概要】
【発明が解決しようとする課題】
【０００４】
しかしながら、以上のようなブレースは、天井裏空間を斜めに延びるため、占有スペースが大きい。したがって、新築建物にブレースを取り付ける場合、天井裏の設備機器をブレースに干渉しないように配置する必要があり、設備レイアウトの自由度が低くなるおそれがあった。
また既存建物にブレースを取り付ける場合、天井内の設備レイアウトを大きく変更するので、施工手間がかかって、コスト高となる場合があった。あるいは、設備レイアウトを変更できず、ブレースを所定位置に取り付けられないので、所定の耐震性能を発揮できない場合があった。
【０００５】
本発明は、天井内に設備レイアウトの自由度を確保しつつ、低コストで耐震補強できる耐震補強部材を提供することを目的とする。
【課題を解決するための手段】
【０００６】
請求項１に記載の耐震補強部材（例えば、後述の耐震補強部材１）は、野縁受け（例えば、後述の野縁受け１２）と、当該野縁受けに支持されて前記野縁受けに略直交する野縁（例えば、後述の野縁１３）と、当該野縁に支持される板状の天井仕上材（例えば、後述の天井仕上材１４）と、を備える天井（例えば、後述の天井１０）の耐震補強部材であって、梁（例えば、後述の鉄骨梁２０）の下面に取り付けられた板状の基部（例えば、後述の下側プレート３１）と、当該基部に略垂直に設けられて、水平方向に延びるとともに前記天井の一部（例えば、後述の野縁１３、増設野縁１３Ａ、天井仕上材１４）を支持する板状の第１支持部（例えば、後述の第１支持部４０、４０Ａ）と、前記基部に略垂直に設けられて、水平方向でかつ前記第１支持部とは異なる方向に延びるとともに前記天井の一部（例えば、後述の野縁受け１２、増設野縁受け１２Ａ、天井仕上材１４）を支持する板状の第２支持部（例えば、後述の第２支持部５０、５０Ａ）と、を備える。
【０００７】
請求項２に記載の耐震補強部材は、前記第１支持部は、側面で前記野縁を支持し、前記第２支持部は、前記野縁受けを支持することを特徴とする。
【０００８】
この発明によれば、板状の第１支持部で野縁や天井仕上材などを支持するとともに、板状の第２支持部で天井仕上材を直接支持したり野縁受けを支持したりした。よって、地震時に、野縁の長さ方向の慣性力に対しては、第１支持部が抵抗し、野縁受けの長さ方向の慣性力に対しては、第２支持部が抵抗する。また、鉛直方向の慣性力に対しては、第１支持部および第２支持部で抵抗する。
【０００９】
ここで、耐震補強部材は、天井裏の梁下空間のみに設けられるため、占有スペースが小さくなる。よって、新築建物にこの耐震補強部材を取り付ける場合、天井内の設備レイアウトにほとんど干渉しないので、設備レイアウトの自由度を高めることができる。
また、天井裏の梁下空間に大型の設備機器が設けられることはほとんどないので、既存建物にこの耐震補強部材を取り付ける場合、天井内の設備機器同士の間に容易に取り付けることができるから、天井内の設備レイアウトを変更する必要はない。また、耐震補強部材の取付けは梁下空間のみで作業できるので、施工手間もかからないから、コストを低減できる。
【００１０】
また、従来のブレースによる耐震補強では、野縁の長さ方向の慣性力に抵抗するブレースと、野縁受けの長さ方向の慣性力に抵抗するブレースと、を設置する必要があった。しかしながら、この発明によれば、１つの耐震補強部材で、野縁の長さ方向の慣性力および野縁受けの長さ方向の慣性力に抵抗できるので、従来のブレースによる耐震補強に比べて、設置箇所が少なくて済み、工期を短縮して、コストを低減できる。
【００１１】
また、耐震補強部材を梁に取り付けるので、天井の直上の床スラブの有無は問わない。つまり、天井の直上が剛性の低い金属屋根であったり、剛性の低いＡＬＣ版であったりしても、耐震補強部材を容易に取り付けることができる。
【００１２】
請求項２に記載の耐震補強部材は、前記第１支持部と前記第２支持部とは、互いに当接していることを特徴とする。
【００１３】
この発明によれば、野縁を支持する第１支持部と野縁受けを支持する第２支持部とを当接させた。よって、野縁の長さ方向の慣性力に対して、第１支持部だけでなく、第２支持部も抵抗したり、野縁受けの長さ方向の慣性力に対して、第２支持部だけでなく、第１支持部も抵抗したりする。したがって、天井の耐震性をさらに向上できる。
【発明の効果】
【００１４】
本発明によれば、耐震補強部材は、天井裏の梁下空間のみに設けられるため、占有スペースが小さくなる。よって、新築建物にこの耐震補強部材を取り付ける場合、天井内の設備レイアウトにほとんど干渉しないので、設備レイアウトの自由度を高めることができる。また、天井裏の梁下空間に大型の設備機器が設けられることはほとんどないので、既存建物にこの耐震補強部材を取り付ける場合、天井内の設備機器同士の間に容易に取り付けることができるから、天井内の設備レイアウトを大きく変更する必要はない。また、耐震補強部材の取付けは梁下空間のみで作業できるので、施工手間もかからないから、コストを低減できる。また、１つの耐震補強部材で、野縁の長さ方向の慣性力および野縁受けの長さ方向の慣性力に抵抗できるので、従来のブレースによる耐震補強に比べて、設置箇所が少なくて済み、工期を短縮して、コストを低減できる。また、耐震補強部材を梁に取り付けるので、天井の直上の床スラブの有無は問わない。つまり、天井の直上が剛性の低い金属屋根であったり、剛性の低いＡＬＣ版であったりしても、耐震補強部材を容易に取り付けることができる。
【図面の簡単な説明】
【００１５】
【図１】本発明の第１実施形態に係る耐震補強部材が適用された天井の見上げ図である。
【図２】図１のＡ−Ａ断面図である。
【図３】図１のＢ−Ｂ断面図である。
【図４】本発明の第２実施形態に係る耐震補強部材が適用された天井の見上げ図である。
【図５】図４のＣ−Ｃ断面図である。
【図６】図４のＤ−Ｄ断面図である。
【図７】本発明の第１の変形例に係る耐震補強部材が適用された天井の断面図である。
【図８】本発明の第２の変形例に係る耐震補強部材が適用された天井の断面図である。
【図９】本発明の第３の変形例に係る耐震補強部材が適用された天井の断面図である。
【図１０】本発明の第４の変形例に係る耐震補強部材が適用された天井の断面図である。
【図１１】本発明の第５の変形例に係る耐震補強部材が適用された天井の断面図である。
【図１２】本発明の第６の変形例に係る耐震補強部材が適用された天井の見上げ図である。
【図１３】本発明の第７の変形例に係る耐震補強部材が適用された天井の見下げ図である。
【図１４】図１３のＥ−Ｅ断面図である。
【発明を実施するための形態】
【００１６】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る耐震補強部材１が適用された天井１０の見上げ図である。図２は、図１のＡ−Ａ断面図である。図３は、図１のＢ−Ｂ断面図である。なお、図１では、理解の容易のため、天井仕上材１４を省略している。
【００１７】
耐震補強部材１は、天井１０を耐震補強するものである。
天井１０は、天井裏の躯体から吊下げ支持された複数の図示しない吊りボルトと、これら吊りボルトに支持されて略水平かつ互いに略平行に延びる複数の野縁受け１２と、これら野縁受け１２に支持されて野縁受け１２に略直交しかつ略水平で互いに略平行に延びる複数の野縁１３と、これら野縁１３に支持される板状の天井仕上材１４と、を備える。
天井仕上材１４としては、岩綿吸音板、石膏ボード、珪酸カルシウム板、金属板などが挙げられる。
【００１８】
耐震補強部材１は、天井裏の鉄骨梁２０に取り付けられた取付け部３０と、この取付け部３０に略垂直に設けられて水平方向に延びるとともに側面で野縁１３を支持する板状の第１支持部４０と、取付け部３０に略垂直に設けられて水平方向でかつ第１支持部４０に略直交する方向に延びるとともに側面で野縁受け１２を支持する板状の第２支持部５０と、を備える。
第１支持部４０と第２支持部５０とは、平面視で、取付け部３０上に略Ｔ字形状に配置されている。
【００１９】
取付け部３０は、鉄骨梁２０の下フランジ２１の下面を覆う板状の基部としての下側プレート３１と、鉄骨梁２０のウエブ２２を挟んで配置されて下フランジ２１の上面を覆う一対の上側プレート３２Ａ、３２Ｂと、下側プレート３１と一対の板状の上側プレート３２Ａ、３２Ｂとの間に介装された介装プレート３３と、下側プレート３１と一対の板状の上側プレート３２Ａ、３２Ｂとを連結する連結部材３４と、を備える。
【００２０】
連結部材３４は、下側プレート３１および上側プレート３２Ａ、３２Ｂを貫通するボルト３４１と、このボルト３４１の先端に螺合されたナット３４２と、を備える。
このような取付け部３０は、ボルト３４１を締め付けて、下側プレート３１と一対の上側プレート３２Ａ、３２Ｂとで鉄骨梁２０の下フランジ２１を挟み込むことで、鉄骨梁２０に取り付けられる。
【００２１】
第１支持部４０は、２枚の板状の部材で構成される。すなわち、第１支持部４０は、取付け部３０の下側プレート３１に略垂直に溶接固定された矩形板状の第１支持プレート４１と、この第１支持プレート４１に沿って設けられて側面で野縁１３を支持する板状の第１調整プレート４２と、を備える。
第１調整プレート４２の水平方向両端部は、折曲げ形成されており、これにより、第１調整プレート４２の面内方向および面外方向の水平力に対する剛性を向上させている。
【００２２】
第１支持プレート４１と第１調整プレート４２とは、ボルト４３で固定されている。なお、ボルトに限らず、接着材や打込鋲あるいはこれらを併用して、第１支持プレート４１と第１調整プレート４２とを固定してもよい。
また、第１調整プレート４２と野縁１３とは、ビス４４で固定されている。また、野縁１３のうちビス４４が打ち込まれる部分では、天井仕上材１４と野縁１３とを固定するためのビス４５が細かいピッチで打ち込まれている。
【００２３】
第２支持部５０は、２枚の板状の部材で構成される。すなわち、第２支持部５０は、取付け部３０の下側プレート３１に略垂直に溶接固定された矩形板状の第２支持プレート５１と、この第２支持プレート５１に沿って設けられて側面で野縁受け１２を支持する矩形板状の第２調整プレート５２と、を備える。
第２調整プレート５２の水平方向両端部は、折曲げ形成されており、これにより、第２調整プレート５２の面内方向および面外方向の水平力に対する剛性を向上させている。
【００２４】
第２支持プレート５１と第２調整プレート５２とは、ボルト５３で固定されている。なお、ボルトに限らず、接着材や打込鋲あるいはこれらを併用して、第２支持プレート５１と第２調整プレート５２とを固定してもよい。
また、第２調整プレート５２と野縁受け１２とは、ビス５４で固定されている。
第２調整プレート５２の下端部は、折曲げ形成された折返し部５２１であり、この折返し部５２１には、天井仕上材１４がビス５５で固定されている。
【００２５】
また、第１支持部４０の第１支持プレート４１と第２支持部５０の第２支持プレート５１とは、下側プレート３１上に略Ｔ字形状に配置されており、第２支持プレート５１の端縁は、第１支持プレート４１の側面に溶接で接合されている。
【００２６】
以上の耐震補強部材１は、以下の手順で天井１０に取り付けられる。
まず、耐震補強部材１の一部を予め製作しておく。具体的には、取付け部３０の下側プレート３１に、第１支持部４０の第１支持プレート４１および第２支持部５０の第２支持プレート５１を溶接で取り付けるとともに、これら第１支持プレート４１と第２支持プレート５１とを溶接で接合し、補強部材本体２とする。
【００２７】
ステップ１では、補強部材本体２を鉄骨梁２０の下フランジ２１の下面に位置決めする。このとき、第１支持プレート４１が野縁１３の直上に位置し、第２支持プレート５１が野縁受け１２の直上に位置するようにする。
ステップ２では、一対の上側プレート３２Ａ、３２Ｂ、介装プレート３３、および連結部材３４を用いて、補強部材本体２を鉄骨梁２０に固定する。
【００２８】
ステップ３では、吊りボルト、野縁受け１２、野縁１３を施工する。
ステップ４では、第１調整プレート４２および第２調整プレート５２を取り付ける。
すなわち、第１調整プレート４２の上側を第１支持プレート４１に重ねるとともに、下側を野縁１３に重ねて配置し、この状態で、ボルト４３、ビス４４を用いて、第１調整プレート４２を第１支持プレート４１に固定するとともに、野縁１３を第１調整プレート４２に固定する。このように第１調整プレート４２を用いることで、野縁１３の施工誤差を吸収する。
【００２９】
また、第２調整プレート５２の上側を第２支持プレート５１に重ねるとともに、下側を野縁受け１２に重ねて配置し、この状態で、ボルト５３、ビス５４を用いて、第２調整プレート５２を第２支持プレート５１に固定するとともに、野縁受け１２を第２調整プレート５２に固定する。このように第２調整プレート５２を用いることで、野縁受け１２および天井仕上材１４の施工誤差を吸収する。
【００３０】
ステップ５では、天井仕上材１４を施工する。このとき、天井仕上材１４を第２調整プレート５２の折返し部５２１にビス５５で固定する。
【００３１】
本実施形態によれば、以下のような効果がある。
（１）板状の第１支持部４０の側面で野縁１３を支持するとともに、板状の第２支持部５０の側面で野縁受け１２および天井仕上材１４を支持した。よって、地震時に、野縁１３の長さ方向の慣性力に対しては、第１支持部４０が抵抗し、野縁受け１２の長さ方向の慣性力に対しては、第２支持部５０が抵抗する。また、鉛直方向の慣性力に対しては、第１支持部４０および第２支持部５０で抵抗する。
【００３２】
ここで、耐震補強部材１は、天井裏の梁下空間のみに設けられるため、占有スペースが小さくなる。よって、新築建物にこの耐震補強部材１を取り付ける場合、天井内の設備レイアウトにほとんど干渉しないので、設備レイアウトの自由度を高めることができる。
【００３３】
また、既存建物にこの耐震補強部材１を取り付ける場合、天井内の設備機器同士の間に容易に取り付けることができるから、天井内の設備レイアウトを大きく変更する必要はない。また、耐震補強部材１の取付けは梁下空間のみで作業できるので、施工手間もかからないから、コストを低減できる。
【００３４】
また、１つの耐震補強部材１で、野縁１３の長さ方向の慣性力および野縁受け１２の長さ方向の慣性力に抵抗できるので、従来のブレースによる耐震補強に比べて、設置箇所が少なくて済み、工期を短縮して、コストを低減できる。
【００３５】
また、耐震補強部材１を鉄骨梁２０に取り付けるので、天井１０の直上の床スラブの有無は問わない。つまり、天井１０の直上が剛性の低い金属屋根であったり、剛性の低いＡＬＣ版であったりしても、耐震補強部材１を容易に取り付けることができる。
【００３６】
（２）野縁１３を支持する第１支持部４０の第１支持プレート４１と、野縁受け１２を支持する第２支持部５０の第２支持プレート５１と、を互いに当接させて溶接で接合した。よって、野縁１３の長さ方向の慣性力に対して、第１支持部４０だけでなく、第２支持部５０も抵抗する。また、野縁受け１２の長さ方向の慣性力に対して、第２支持部５０だけでなく、第１支持部４０も抵抗する。したがって、天井１０の耐震性をさらに向上できる。
【００３７】
（３）予め補強部材本体２を製作しておき、この補強部材本体２を、一対の上側プレート３２Ａ、３２Ｂ、介装プレート３３、および連結部材３４を用いて、鉄骨梁２０に取り付け、その後、第１調整プレート４２および第２調整プレート５２を取り付ける。よって、施工現場で溶接を用いる必要がないので、鉄骨梁２０の断面性能が低下するのを防止できる。また、特に既存建物に耐震補強部材１を取り付ける場合、溶接火花による火災や天井下地材、床、室内の備品などの汚損を有効に防止できる。
【００３８】
〔第２実施形態〕
図４は、本発明の第２実施形態に係る耐震補強部材１Ａが適用された天井１０Ａの簡略化した見上げ図である。図５は、図４のＣ−Ｃ断面図である。図６は、図４のＤ−Ｄ断面図である。
本実施形態では、鉄骨梁２０の直下には間仕切壁６０が設けられている点、および、耐震補強部材１Ａの第１支持部４０Ａおよび第２支持部５０Ａの構造が、第１実施形態と異なる。
【００３９】
すなわち、鉄骨梁２０の直下には、この鉄骨梁２０に沿って延びる間仕切壁６０が設けられており、この間仕切壁６０の上端は、鉄骨梁２０の梁底に接続されている。また、この間仕切壁６０により、天井１０Ａは二分割されている。
【００４０】
取付け部３０には、間仕切壁６０を挟んで一対の略コの字形状の溝型鋼７０が溶接固定されている。
この溝型鋼７０は、取付け部３０の下側プレート３１に略垂直に設けられて互いに略平行な一対の板状の第２支持部５０Ａの第２支持プレート５１Ａと、下側プレート３１に略垂直に設けられて一対の第２支持部５０Ａ同士を連結する板状の第１支持部４０Ａの第１支持プレート４１Ａと、を備える。
【００４１】
本実施形態によれば、上述の（１）〜（３）と同様の効果に加えて、以下のような効果がある。
（４）鉄骨梁２０に至る間仕切壁６０を設けることができ、また、間仕切壁６０を挟んで別々の天井１０Ａを同時に支持できる。
【００４２】
なお、本発明は前記実施形態に限定されるものではなく、本発明の目的を達成できる範囲での変形、改良等は本発明に含まれるものである。
例えば、上述の各実施形態では、ボルト３４１を締め付けて、下側プレート３１と上側プレート３２Ａ、３２Ｂとで鉄骨梁２０の下フランジ２１を挟み込むことで、取付け部３０を鉄骨梁２０に取り付けたが、これに限らない。
【００４３】
例えば、図７に示すように、予め、一方の上側プレート３２Ａを下側プレート３１と一体化しておき、図７中二点鎖線で示すように、上側プレート３２Ａを下フランジ２１に引っ掛けて、その後、上側プレート３２Ｂおよび介装プレート３３を連結部材３４で下側プレート３１に連結することで、取付け部３０Ｂを鉄骨梁２０に取り付けてもよい。
【００４４】
また、図８に示すように、下フランジ２１の上面のみを覆う上側プレート３２Ａ、３２Ｂの代わりに、下フランジ２１の上面、ウエブ２２の側面、および上フランジ２３の下面を覆う一対の被覆部材３５Ａ、３５Ｂを用意し、これら一対の被覆部材３５Ａ、３５Ｂを下側プレート３１に連結してもよい。この場合、リブプレート３５１を被覆部材３５Ａ、３５Ｂに設けることにより、鉄骨梁２０の剛性が向上し、耐震補強部材１から伝わる応力で鉄骨梁２０が変形するのを防止できる。
【００４５】
また、図９に示すように、取付け部３０を鉄骨梁２０の下フランジ２１の下面を覆う下側プレート３１のみで構成し、この下側プレート３１を接着材やビス３６で下フランジ２１に固定してもよい。なお、接着材やビスに限らず、ボルト、ナット、打込鋲あるいはこれらを併用して、下側プレート３１を接着剤やビス３６で下フランジ２１に固定してもよい。
【００４６】
また、上述の各実施形態では、取付け部３０を鉄骨梁２０に取り付けたが、これに限らず、取付け部３０を鉄筋コンクリート梁８０に取り付けてもよい。
この場合も、取付け部３０を、鉄筋コンクリート梁８０の下面を覆う下側プレート３１のみで構成し、この下側プレート３１を接着剤やビスで下フランジ２１に固定してもよい。
あるいは、図１０に示すように、取付け部３０を、鉄筋コンクリート梁８０の下面および両側面を覆う断面コの字形状とし、この取付け部３０を鉄筋コンクリート梁８０の両側面に打込鋲３７で固定してもよい。なお、打込鋲に限らず、接着材、アンカー、ボルト、ナットあるいはこれらを併用して、取付け部３０を鉄筋コンクリート梁８０に固定してもよい。
【００４７】
また、上述の各実施形態では、支持部４０、４０Ａ、５０、５０Ａを野縁１３および野縁受け１２に固定したが、これに限らない。例えば、支持部４０、４０Ａ、５０、５０Ａと野縁１３および野縁受け１２との位置合わせが困難な場合や、天井仕上材１４にかかる応力を分散させたい場合には、支持部４０、４０Ａ、５０、５０Ａを天井仕上材１４のみに固定してもよい。この場合、図１１に示すように、支持部４０、４０Ａ、５０、５０Ａの下端を折り曲げて略水平に延びる折返し部９０を設け、この折返し部９０と天井仕上材１４との間に鋼板９１を介装し、ビス９２で鋼板９１を折返し部９０に固定するとともに、ビス９３で天井仕上材１４を鋼板９１に固定する。
【００４８】
また、上述の第１実施形態では、第１支持部４０および第２支持部５０を略Ｔ字形状に配置し、第２実施形態では、第１支持部４０Ａおよび第２支持部５０Ａを略コの字形状に配置したが、これに限らず、第１支持部および第２支持部を、Ｈ字形状、Ｌ字形状、十字形状、四角形状、円筒形状あるいはこれらの組合せなど、どのように配置してもよい。
【００４９】
また、上述の各実施形態では、耐震補強部材１を鉄骨梁２０に取付け、変形例では、耐震補強部材１を鉄筋コンクリート梁に取り付けたが、これに限らない。すなわち、Ｈ形鋼、溝形鋼、山形鋼を組み合わせたトラス梁に取り付けてもよいし、逆梁に取り付けてもよい。
【００５０】
また、上述の各実施形態では、第１支持部４０、４０Ａと第２支持部５０、５０Ａとを互いに当接させたが、これに限らず、第１支持部と第２支持部とを離して設けてもよい。
【００５１】
また、耐震補強部材１を構成する部材の厚みや大きさ、および、耐震補強部材１に用いられるビスやボルトの径や本数は、必要に応じて適宜決定されてよい。
【００５２】
また、耐震補強部材１を天井１０に取り付ける手順は、上述のステップ１〜５に限らない。例えば、ステップ２とステップ３とを入れ替えてもよい。
【００５３】
また、上述の第１実施形態では、第１支持プレート４１と第２支持プレート５１とを溶接で接合したが、これに限らず、溶接で接合せず、当接させただけでもよい。
【００５４】
また、本発明の耐震補強部材１〜１Ｅをブレースと併用してもよい。例えば、天井裏の梁下の空間に耐震補強部材１〜１Ｅを設け、スラブ下の空間に適宜ブレースを設ける構造としてもよい。
【００５５】
また、各実施形態において、鉄骨梁２０の下フランジ２１と取付け部３０の下側プレート３１との間に、第１支持プレート４１、４１Ａと第１調整プレート４２との間、第２支持プレート５１、５１Ａと第２調整プレート５２との間に、ゴムなどのクッション材を介装してもよい。耐震補強は全体の剛性のバランスが重要であり、剛性の高い箇所に応力が集中してしまうので、耐震補強部材１の剛性を下げる必要が生じる場合がある。このような場合、クッション材を用いることで、容易に剛性を下げることができる。
【００５６】
また、耐震補強部材１〜１Ｅの野縁受け１２や野縁１３との位置合わせが困難な場合には、増設野縁受け１２Ａや増設野縁１３Ａを設けてもよい。すなわち、図１２に示すように、既存の野縁受け１２に略平行に増設野縁受け１２Ａを設けるとともに、既存の野縁１３に略平行に増設野縁１３Ａを設ける。
【００５７】
このようにすれば、耐震補強部材１の位置に応じて増設野縁受け１２Ａや増設野縁１３Ａを配置すればよいので、耐震補強部材１を既存の野縁受け１２や野縁１３の位置に合わせて配置する必要がなく、耐震補強部材１の施工性が向上する。
なお、増設野縁１３Ａを取り付ける場合、予め増設野縁１３Ａを第１調整プレート４２に取り付けておき、第１調整プレート４２とともに増設野縁１３Ａを取り付けてもよいし、先に増設野縁１３Ａを取り付けて、その後、第１調整プレート４２を取り付けてもよい。
また、増設野縁受け１２Ａを取り付ける場合、予め増設野縁受け１２Ａを第２調整プレート５２に取り付けておき、第２調整プレート５２とともに増設野縁受け１２Ａを取り付けてもよいし、先に増設野縁受け１２Ａを取り付けて、その後、第２調整プレート５２を取り付けてもよい。
【００５８】
また、図１３及び図１４に示すように、本発明の耐震補強部材１をシステム天井に取り付けてもよい。
すなわち、システム天井１１は、天井裏の躯体から吊下げ支持された複数の図示しない吊りボルトと、これら吊りボルトに支持されて略水平かつ互いに略平行に延びる図示しない複数のＴバー受けチャンネルと、これらＴバー受けチャンネルに支持されてＴバー受けチャンネルに略直交しかつ略水平で互いに略平行に延びる複数のメインＴバー１５と、これらメインＴバー１５に支持されてメインＴバー１５に略直交しかつ略水平で互いに略平行に延びる複数のクロスＴバー１６と、これらメインＴバー１５およびクロスＴバー１６に支持される板状の天井仕上材１４と、を備える。
【００５９】
この場合、第１調整プレート４２でメインＴバー１５を支持し、第２調整プレート５２でクロスＴバー１６を支持する。
【符号の説明】
【００６０】
１、１Ａ、１Ｂ、１Ｃ、１Ｄ、１Ｅ…耐震補強部材
２…補強部材本体
１０、１０Ａ…天井
１１…システム天井
１２…野縁受け
１２Ａ…増設野縁受け
１３…野縁
１３Ａ…増設野縁
１４…天井仕上材
１５…メインＴバー
１６…クロスＴバー
２０…鉄骨梁
２１…下フランジ
２２…ウエブ
２３…上フランジ
３０、３０Ｂ、３０Ｃ、３０Ｄ、３０Ｅ…取付け部
３１…下側プレート（基部）
３２Ａ、３２Ｂ…上側プレート
３３…介装プレート
３４…連結部材
３５Ａ…被覆部材
３５Ｂ…被覆部材
３６、３７…ビス
４０、４０Ａ…第１支持部
４１、４１Ａ…第１支持プレート
４２…第１調整プレート
４３…ボルト
４４、４５…ビス
５０、５０Ａ…第２支持部
５１、５１Ａ…第２支持プレート
５２…第２調整プレート
５３…ボルト
５４、５５…ビス
６０…間仕切壁
７０…溝型鋼
８０…鉄筋コンクリート梁
９０…折返し部
９１…鋼板
９２、９３…ビス
３４１…ボルト
３４２…ナット
５２１…折返し部
【図１】
2014173395.tif 000003
【図２】
2014173395.tif 000004
【図３】
2014173395.tif 000005
【図４】
2014173395.tif 000006
【図５】
2014173395.tif 000007
【図６】
2014173395.tif 000008
【図７】
2014173395.tif 000009
【図８】
2014173395.tif 000010
【図９】
2014173395.tif 000011
【図１０】
2014173395.tif 000012
【図１１】
2014173395.tif 000013
【図１２】
2014173395.tif 000014
【図１３】
2014173395.tif 000015
【図１４】
2014173395.tif 000016